(57)【要約】  本発明は、同期信号を送信・検出する方法及び装置を開示し、新しい無線通信システムでは複数のベースバンドパラメータが定義されることになるが、端末による同期信号を検出するための明確な解決策はこれまで存在しなかったとの問題点を解決する。当該方法は、端末は、同期信号を検出するためのベースバンドパラメータを決定するステップと、前記端末は、決定されたベースバンドパラメータに基づき、同期信号を検出するステップとを備える。端末は、同期信号を検出する前、まず、同期信号を検出するためのベースバンドパラメータを決定し、そして、決定されたベースバンドパラメータに基づき、同期信号を検出することにより、複数のベースバンドパラメータをサポートする将来の通信システムにおいて同期信号を送信するためのベースバンドパラメータを識別して、正しく同期信号を検出することができるようになる。
2019530288.tif 000002
【特許請求の範囲】
【請求項１】
端末が、同期信号を検出するためのベースバンドパラメータを決定するステップと、
前記端末が、決定されたベースバンドパラメータに基づき、同期信号を検出するステップとを備えることを特徴とする同期信号を検出する方法。
【請求項２】
前記端末が同期信号を検出するためのベースバンドパラメータを決定する場合、
前記端末は、事前に約定された１つまたは複数のベースバンドパラメータを、同期信号を検出するためのベースバンドパラメータとして決定し、または、
前記端末は、通信システムによりサポートされたかまたは定義された１つまたは複数のベースバンドパラメータを、同期信号を検出するためのベースバンドパラメータとして決定し、または、
前記端末は、周波数帯域とベースバンドパラメータとの対応関係に基づき、前記端末が現在同期信号を検出している周波数帯域に対応するベースバンドパラメータを決定し、決定されたベースバンドパラメータを、同期信号を検出するためのベースバンドパラメータとして決定することを特徴とする請求項１に記載の同期信号を検出する方法。
【請求項３】
決定されたベースバンドパラメータが複数であれば、前記端末が、決定されたベースバンドパラメータに基づき、同期信号を検出する場合、
前記端末は、決定された各ベースバンドパラメータに基づき、前記同期信号をブラインド検出することを特徴とする請求項２に記載の同期信号を検出する方法。
【請求項４】
前記端末は、事前に約定された時間領域リソース及び/または周波数領域リソースにおいて、前記同期信号を検出することを特徴とする請求項２に記載の同期信号を検出する方法。
【請求項５】
前記端末は、決定されたベースバンドパラメータに基づき、同期信号を検出した後、前記端末は、検出された同期信号に基づき、前記端末の所属の送受信ポイントＴＲＰグループを決定し、または、
前記端末は、同期信号とサブバンド/ＴＲＰ/ビームとの対応関係に基づき、前記端末が常駐またはアクセスするためのサブバンド、ＴＲＰ及び/またはビームを決定することを特徴とする請求項１ないし請求項４のいずれか１項に記載の同期信号を検出する方法。
【請求項６】
前記端末が検出された同期信号に基づき、前記端末の所属の送受信ポイントＴＲＰグループを決定する場合、
前記端末は、検出された同期信号から、信号強度が最大の同期信号を選出し、
前記端末は、同期信号とＴＲＰグループ識別子（ＩＤ）との対応関係に基づき、選出された同期信号に対応するＴＲＰグループＩＤを決定し、
前記端末は、決定されたＴＲＰグループＩＤに対応するＴＲＰグループを、前記端末の所属のＴＲＰグループとして決定することを特徴とする請求項５に記載の同期信号を検出する方法。
【請求項７】
ネットワーク側装置が、同期信号を送信するためのベースバンドパラメータを決定するステップと、
前記ネットワーク側装置が、決定されたベースバンドパラメータに基づき、同期信号を送信するステップとを備えることを特徴とする同期信号を送信する方法。
【請求項８】
前記ネットワーク側装置が同期信号を送信するためのベースバンドパラメータを決定する場合、
前記ネットワーク側装置は、事前に約定された１つまたは複数のベースバンドパラメータを、同期信号を送信するためのベースバンドパラメータとして決定し、または、
前記ネットワーク側装置は、通信システムによりサポートされたかまたは定義された１つまたは複数のベースバンドパラメータを、同期信号を送信するためのベースバンドパラメータとして決定し、または、
前記ネットワーク側装置は、周波数帯域とベースバンドパラメータとの対応関係に基づき、前記ネットワーク側装置が現在同期信号を送信している周波数帯域に対応するベースバンドパラメータを決定し、決定されたベースバンドパラメータを、同期信号を送信するためのベースバンドパラメータとして決定することを特徴とする請求項７に記載の同期信号を送信する方法。
【請求項９】
決定されたベースバンドパラメータが複数であれば、前記ネットワーク側装置は、決定されたベースバンドパラメータに基づき、同期信号を送信する場合、
前記ネットワーク側装置は、決定されたベースバンドパラメータから１つを選出し、選出されたベースバンドパラメータに基づき、前記同期信号を送信することを特徴とする請求項８に記載の同期信号を送信する方法。
【請求項１０】
前記ネットワーク側装置は、事前に約定された時間領域リソース及び/または周波数領域リソースにおいて、前記同期信号を送信することを特徴とする請求項８に記載の同期信号を送信する方法。
【請求項１１】
前記同期信号は、端末の所属の送受信ポイントＴＲＰグループを決定するのに用いられ、または、
前記同期信号と、サブバンド/ＴＲＰ/ビームとの間に対応関係が存在し、前記同期信号は、前記端末が常駐またはアクセスするためのサブバンド、ＴＲＰ及び/またはビームを決定するのみ用いられることを特徴とする請求項７ないし請求項１０のいずれか１項に記載の同期信号を送信する方法。
【請求項１２】
同期信号を検出するためのベースバンドパラメータを決定するパラメータ決定モジュールと、
決定されたベースバンドパラメータに基づき、同期信号を検出する検出モジュールとを備えることを特徴とする端末。
【請求項１３】
前記パラメータ決定モジュールは、
事前に約定された１つまたは複数のベースバンドパラメータを、同期信号を検出するためのベースバンドパラメータとして決定し、または、
通信システムによりサポートされたかまたは定義された１つまたは複数のベースバンドパラメータを、同期信号を検出するためのベースバンドパラメータとして決定し、または、
周波数帯域とベースバンドパラメータとの対応関係に基づき、前記端末が現在同期信号を検出している周波数帯域に対応するベースバンドパラメータを決定し、決定されたベースバンドパラメータを、同期信号を検出するためのベースバンドパラメータとして決定することを特徴とする請求項１２に記載の端末。
【請求項１４】
決定されたベースバンドパラメータが複数であれば、前記検出モジュールは、
決定された各ベースバンドパラメータに基づき、前記同期信号をブラインド検出することを特徴とする請求項１３に記載の端末。
【請求項１５】
前記検出モジュールは、
事前に約定された時間領域リソース及び/または周波数領域リソースにおいて、前記同期信号を検出することを特徴とする請求項１３に記載の端末。
【請求項１６】
前記検出モジュールは、
検出された同期信号に基づき、前記端末の所属の送受信ポイントＴＲＰグループを決定し、または、
同期信号とサブバンド/ＴＲＰ/ビームとの対応関係に基づき、前記端末が常駐またはアクセスするためのサブバンド、ＴＲＰ及び/またはビームを決定することを特徴とする請求項１２ないし請求項１５のいずれか１項に記載の端末。
【請求項１７】
前記検出モジュールは、
検出された同期信号から、信号強度が最大の同期信号を選出し、
同期信号とＴＲＰグループ識別子（ＩＤ）との対応関係に基づき、選出された同期信号に対応するＴＲＰグループＩＤを決定し、
決定されたＴＲＰグループＩＤに対応するＴＲＰグループを、前記端末の所属のＴＲＰグループとして決定することを特徴とする請求項１６に記載の端末。
【請求項１８】
同期信号を送信するためのベースバンドパラメータを決定する決定モジュールと、
決定されたベースバンドパラメータに基づき、同期信号を送信する送信モジュールとを備えることを特徴とするネットワーク側装置。
【請求項１９】
前記決定モジュールは、
事前に約定された１つまたは複数のベースバンドパラメータを、同期信号を送信するためのベースバンドパラメータとして決定し、または、
通信システムによりサポートされたかまたは定義された１つまたは複数のベースバンドパラメータを、同期信号を送信するためのベースバンドパラメータとして決定し、または、
周波数帯域とベースバンドパラメータとの対応関係に基づき、前記ネットワーク側装置が現在同期信号を送信している周波数帯域に対応するベースバンドパラメータを決定し、決定されたベースバンドパラメータを、同期信号を送信するためのベースバンドパラメータとして決定することを特徴とする請求項１８に記載のネットワーク側装置。
【請求項２０】
決定されたベースバンドパラメータが複数であれば、前記送信モジュールは、
決定されたベースバンドパラメータから１つを選出し、選出されたベースバンドパラメータに基づき、前記同期信号を送信することを特徴とする請求項１９に記載のネットワーク側装置。
【請求項２１】
前記送信モジュールは、
事前に約定された時間領域リソース及び/または周波数領域リソースにおいて、前記同期信号を送信することを特徴とする請求項１９に記載のネットワーク側装置。
【請求項２２】
送受信機と、前記送受信機と接続する少なくとも１つのプロセッサとを備え、
前記プロセッサは、メモリに格納されたプログラムを読み出し、
同期信号を検出するためのベースバンドパラメータを決定し、
決定されたベースバンドパラメータに基づき、同期信号を検出し、
前記送受信機は、前記プロセッサの制御によりデータを送受信することを特徴とする端末。
【請求項２３】
送受信機と、前記送受信機と接続する少なくとも１つのプロセッサとを備え、
前記プロセッサは、メモリに格納されたプログラムを読み出し、
同期信号を送信するためのベースバンドパラメータを決定し、
決定されたベースバンドパラメータに基づき、送受信機により同期信号を送信し、
前記送受信機は、前記プロセッサの制御によりデータを送受信することを特徴とするネットワーク側装置。
【発明の詳細な説明】
【技術分野】
【０００１】
本発明は通信技術分野に関し、特に、同期信号を送信・検出する方法及び装置に関する。
【背景技術】
【０００２】
従来のロングタームエボリューション（Ｌｏｎｇ Ｔｅｒｍ Ｅｖｏｌｕｔｉｏｎ，ＬＴＥ）システムでは、フレーム構造は、周波数分割複信（Ｆｒｅｑｕｅｎｃｙ Ｄｉｖｉｓｉｏｎ Ｄｕｐｌｅｘ，ＦＤＤ）モードと時分割複信（Ｔｉｍｅ Ｄｉｖｉｓｉｏｎ Ｄｕｐｌｅｘ，ＴＤＤ）モードに対してそれぞれ定義されている。
【０００３】
フレーム構造タイプ１（Ｆｒａｍｅ Ｓｔｒｕｃｔｕｒｅ ｔｙｐｅ １，ＦＳ１）は既存のロングタームエボリューション（Ｌｏｎｇ Ｔｅｒｍ Ｅｖｏｌｕｔｉｏｎ，ＬＴＥ）周波数分割複信（Ｆｒｅｑｕｅｎｃｙ Ｄｉｖｉｓｉｏｎ Ｄｕｐｌｅｘ，ＦＤＤ）システムに適用可能であり、その構造図を図１Ａに示す。ＦＤＤシステムでは、アップリンク送信とダウンリンク送信とでは異なるキャリア周波数があり、アップリンク送信とダウンリンク送信とでは同じフレーム構造がある。各キャリアにおいて、長さ１０ｍｓの無線フレームは１０個の１ｍｓサブフレームを含み、各サブフレームは長さ０．５ｍｓの２つのタイムスロットを含む。アップリンクおよびダウンリンクのデータ伝送におけるＴＴＩ（Ｔｒａｎｓｍｉｓｓｉｏｎ Ｔｉｍｅ Ｉｎｔｅｒｖａｌ）の時間長は１ｍｓである。
【０００４】
図１Ｂに示すように、ＬＴＥ（Ｌｏｎｇ Ｔｅｒｍ Ｅｖｏｌｕｔｉｏｎ） ＴＤＤ（Ｔｉｍｅ Ｄｉｖｉｓｉｏｎ Ｄｕｐｌｅｘ）システムは、フレーム構造タイプ２（ｆｒａｍｅ ｓｔｒｕｃｔｕｒｅ ｔｙｐｅ ２，ＦＳ２）を使用する。ＴＤＤシステムでは、アップリンク及びダウンリンク伝送は、同一周波数上で異なるサブフレームを使用するか、異なるタイムスロットを使用する。ＦＳ２の各１０ｍｓ無線フレームは２つの５ｍｓハーフフレームで構成され、各フレームには１ｍｓ長さの５つのサブフレームが含まれている。ＦＳ２のサブフレームは、ダウンリンクサブフレームと、サブフレームと、スペシャルサブフレームの３種類に分類される。スペシャルサブフレームはダウンリンクパイロットタイムスロット（ＤｗＰＴＳ，Ｄｏｗｎｌｉｎｋ Ｐｉｌｏｔ Ｔｉｍｅ Ｓｌｏｔ、ＤｗＰＴＳ）とガード期間（Ｇｕａｒｄ Ｐｅｒｉｏｄ、ＧＰ）とＵｐＰＴＳ（Ｕｐｌｉｎｋ Ｐｉｌｏｔ Ｔｉｍｅ Ｓｌｏｔ）３つの部分から構成されている。各ハーフフレームは、少なくとも１つのダウンリンクサブフレーム、少なくとも１つのアップリンクサブフレーム、および最大で１つの特殊サブフレームを含む。表１に示される７つのＴＤＤアップリンク-ダウンリンク構成は、異なるダウンリンクからアップリンクへの切り替え点の周期性およびアップリンク-ダウンリンク割り当て比率に対して定義される。
【０００５】
【表１】
2019530288.tif 000003
【０００６】
通常のＣＰおよび拡張ＣＰを含む２つのサイクリックプレフィックス（Ｃｙｃｌｉｃ Ｐｒｅｆｉｘ，ＣＰ）タイプが、ＬＴＥシステムにおけるＦＤＤモードおよびＴＤＤモードに対して定義される（それらは通常のサブフレームに対して定義されるが、特別なサブフレームにおけるシンボルの数は、以下の定義より少ない）。アップリンク伝送に対して、サブキャリア間隔Δｆ＝１５ｋＨｚが定義されている。通常のＣＰでは、各タイムスロットは７つのシングルキャリア周波数分割多元接続（Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ，ＳＣ−ＦＤＭＡ）シンボルを含む。最初のＳＣ−ＦＤＭＡシンボルのＣＰの長さは１６０Ｔｓで、他のＳＣ−ＦＤＭＡシンボルのＣＰの長さは１４４１４４Ｔｓである。拡張ＣＰでは各タイムスロットは６個のＳＣ−ＦＤＭＡシンボルを含み、各ＳＣ−ＦＤＭＡシンボルのＣＰの長さは５１２Ｔｓである。ダウンリンク伝送の場合、通常のＣＰでは、サブキャリア間隔Δｆ＝１５ｋＨｚが定義され、各タイムスロットには７つのＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘ）シンボルが含まれる。ここで、最初のＯＦＤＭシンボルのＣＰの長さは１６０Ｔｓで、他のＯＦＤＭシンボルのＣＰの長さは１４４Ｔｓである。拡張ＣＰでは、２種のサブキャリア間隔Δｆ＝１５ｋＨｚ及びΔｆ＝７．５ｋＨｚが定義されており、キャリア間隔がΔｆ＝１５ｋＨｚである場合、各タイムスロットは６個のＯＦＤＭシンボルを含み、各ＯＦＤＭシンボル中のＣＰの長さは５１２Ｔｓである。キャリア間隔がΔｆ＝７．５ｋＨｚである場合、タイムスロットは３つのＯＦＤＭシンボルを含み、各ＯＦＤＭシンボル内のＣＰの長さは１０２４Ｔｓである。ここで、Ｔｓは３０７２００×Ｔｓ ＝ １０ｍｓと定義されるシステムサンプリング間隔であり、Δｆ＝７．５ｋＨｚは、マルチメディアブロードキャストサビースにのみ適用可能である。設定されたＭＢＳＦＮ（Ｍｕｌｔｉｍｅｄｉａ Ｂｒｏａｄｃａｓｔ ｍｕｌｔｉｃａｓｔ ｓｅｒｖｉｃｅ Ｓｉｎｇｌｅ Ｆｒｅｑｕｅｎｃｙ Ｎｅｔｗｏｒｋ）サブフレームにのみに用いられる。
【０００７】
ＬＴＥシステムでは、ＬＴＥネットワークにアクセスするためのユーザー機器（Ｕｓｅｒ Ｅｑｕｉｐｍｅｎｔ，ＵＥ、端末とも略称される）は、セルのシステム情報を取得するためにセルを検索するものとする。ＵＥが同期信号を検出し、情報をブロードキャストし、及びシステム情報を受信する場合、１種のみのベースバンドパラメータ（ベースバンドパラメータ）が存在し、即ち、サブキャリア間隔Δｆ＝１５ｋＨｚである、また、サブキャリア間隔は、通常のＣＰ及び拡張ＣＰにおけるそれぞれ固定数のＯＦＤＭシンボルおよび固定ＣＰ長に対応するため、UEはベースバンドパラメータを識別する必要がない。移動体通信サービスに対する需要が変化するにつれて、国際電気通信連合（Ｉｎｔｅｒｎａｔｉｏｎａｌ Ｔｅｌｅｃｏｍｍｕｎｉｃａｔｉｏｎ Ｕｎｉｏｎ，ＩＴＵ）、３ＧＰＰ、および他の組織は新しい無線通信システム（例えば、5Ｇシステム）を研究するようになる。新しい無線通信システムは、より高い周波数帯域で動作することができるが、下位互換性のためにより低いおよび中間の周波数帯域でも動作することができる。異なる周波数帯域が、伝送特性及びニーズがそれぞれであるため、異なるベースバンドパラメータを定義する必要がある。同一の周波数帯域または伝送周波数帯域（Ｔｒａｎｓｍｉｓｓｉｏｎ Ｒｅｃｅｐｔｉｏｎ Ｐｏｉｎｔ，ＴＲＰ）のニーズがそれぞれであるため、異なるベースバンドパラメータ（ｎｕｍｅｒｏｌｏｇｙ）を用いることができる。よって、新しい無線通信システムでは複数のベースバンドパラメータ（ｎｕｍｅｒｏｌｏｇｙ）が定義されることになるが、端末による同期信号を検出するための明確な解決策はこれまで存在しなかった。
【発明の概要】
【発明が解決しようとする課題】
【０００８】
本発明に係る実施例は、同期信号を送信・検出する方法及び装置を提供し、新しい無線通信システムでは複数のベースバンドパラメータが定義されることになるが、端末による同期信号を検出するための明確な解決策はこれまで存在しなかったとの問題点を解決する。
【課題を解決するための手段】
【０００９】
第１態様によれば、同期信号を検出する方法は、
端末が、同期信号を検出するためのベースバンドパラメータを決定するステップと、
前記端末が、決定されたベースバンドパラメータに基づき、同期信号を検出するステップとを備える。
【００１０】
可能な実施形態では、前記端末が同期信号を検出するためのベースバンドパラメータを決定する場合、
前記端末は、事前に約定された１つまたは複数のベースバンドパラメータを、同期信号を検出するためのベースバンドパラメータとして決定し、または、
前記端末は、通信システムによりサポートされたかまたは定義された１つまたは複数のベースバンドパラメータを、同期信号を検出するためのベースバンドパラメータとして決定し、または、
前記端末は、周波数帯域とベースバンドパラメータとの対応関係に基づき、前記端末が現在同期信号を検出している周波数帯域に対応するベースバンドパラメータを決定し、決定されたベースバンドパラメータを、同期信号を検出するためのベースバンドパラメータとして決定する。
【００１１】
また、決定されたベースバンドパラメータが複数であれば、前記端末は、決定されたベースバンドパラメータに基づき、同期信号を検出する場合、
前記端末は、決定された各ベースバンドパラメータに基づき、前記同期信号をブラインド検出する。
【００１２】
可能な実施形態では、前記方法では、
前記端末は、事前に約定された時間領域リソース及び/または周波数領域リソースにおいて、前記同期信号を検出する。
【００１３】
上記いずれの実施例に基づき、前記端末は、決定されたベースバンドパラメータに基づき、同期信号を検出した後、前記方法では、
前記端末は、検出された同期信号に基づき、前記端末の所属の送受信ポイントＴＲＰグループを決定し、または、
前記端末は、同期信号とサブバンド/ＴＲＰ/ビームとの対応関係に基づき、前記端末が常駐またはアクセスするためのサブバンド、ＴＲＰ及び/またはビームを決定する。
【００１４】
また、前記端末が検出された同期信号に基づき、前記端末の所属の送受信ポイントＴＲＰグループを決定する場合、
前記端末は、検出された同期信号から、信号強度が最大の同期信号を選出し、
前記端末は、同期信号とＴＲＰグループ識別子（ＩＤ）との対応関係に基づき、選出された同期信号に対応するＴＲＰグループＩＤを決定し、
前記端末は、決定されたＴＲＰグループＩＤに対応するＴＲＰグループを、前記端末の所属のＴＲＰグループとして決定する。
【００１５】
第２態様によれば、同期信号を送信する方法は、
ネットワーク側装置が、同期信号を送信するためのベースバンドパラメータを決定するステップと、
前記ネットワーク側装置が、決定されたベースバンドパラメータに基づき、同期信号を送信するステップとを備える。
【００１６】
可能な実施形態では、前記ネットワーク側装置が同期信号を送信するためのベースバンドパラメータを決定する場合、
前記ネットワーク側装置は、事前に約定された１つまたは複数のベースバンドパラメータを、同期信号を送信するためのベースバンドパラメータとして決定し、または、
前記ネットワーク側装置は、通信システムによりサポートされたかまたは定義された１つまたは複数のベースバンドパラメータを、同期信号を送信するためのベースバンドパラメータとして決定し、または、
前記ネットワーク側装置は、周波数帯域とベースバンドパラメータとの対応関係に基づき、前記ネットワーク側装置が現在同期信号を送信している周波数帯域に対応するベースバンドパラメータを決定し、決定されたベースバンドパラメータを、同期信号を送信するためのベースバンドパラメータとして決定する。
【００１７】
また、決定されたベースバンドパラメータが複数であれば、前記ネットワーク側装置は、決定されたベースバンドパラメータに基づき、同期信号を送信する場合、
前記ネットワーク側装置は、決定されたベースバンドパラメータから１つを選出し、選出されたベースバンドパラメータに基づき、前記同期信号を送信する。
【００１８】
可能な実施形態では、前記方法では、前記ネットワーク側装置は、事前に約定された時間領域リソース及び/または周波数領域リソースにおいて、前記同期信号を送信する。
【００１９】
上記いずれの実施例に基づき、前記同期信号は、前記端末の所属の送受信ポイントＴＲＰグループを決定するのに用いられ、または、
前記同期信号と、サブバンド/ＴＲＰ/ビームとの間に対応関係が存在し、前記同期信号は、前記端末が常駐またはアクセスするためのサブバンド、ＴＲＰ及び/またはビームを決定するのみ用いられる。
【００２０】
第３態様によれば、端末は、
同期信号を検出するためのベースバンドパラメータを決定するパラメータ決定モジュールと、
決定されたベースバンドパラメータに基づき、同期信号を検出する検出モジュールとを備える。
【００２１】
可能な実施形態では、前記パラメータ決定モジュールは、
事前に約定された１つまたは複数のベースバンドパラメータを、同期信号を検出するためのベースバンドパラメータとして決定し、または、
通信システムによりサポートされたかまたは定義された１つまたは複数のベースバンドパラメータを、同期信号を検出するためのベースバンドパラメータとして決定し、または、
周波数帯域とベースバンドパラメータとの対応関係に基づき、前記端末が現在同期信号を検出している周波数帯域に対応するベースバンドパラメータを決定し、決定されたベースバンドパラメータを、同期信号を検出するためのベースバンドパラメータとして決定する。
【００２２】
また、決定されたベースバンドパラメータが複数であれば、前記検出モジュールは、
決定された各ベースバンドパラメータに基づき、前記同期信号をブラインド検出する。
【００２３】
可能な実施形態では、前記検出モジュールは、
事前に約定された時間領域リソース及び/または周波数領域リソースにおいて、前記同期信号を検出する。
【００２４】
上記いずれの実施例に基づき、前記検出モジュールは、
検出された同期信号に基づき、前記端末の所属の送受信ポイントＴＲＰグループを決定し、または、
同期信号とサブバンド/ＴＲＰ/ビームとの対応関係に基づき、前記端末が常駐またはアクセスするためのサブバンド、ＴＲＰ及び/またはビームを決定する。
【００２５】
また、前記検出モジュールは、
検出された同期信号から、信号強度が最大の同期信号を選出し、
同期信号とＴＲＰグループ識別子（ＩＤ）との対応関係に基づき、選出された同期信号に対応するＴＲＰグループＩＤを決定し、
決定されたＴＲＰグループＩＤに対応するＴＲＰグループを、前記端末の所属のＴＲＰグループとして決定する。
【００２６】
第４態様によれば、端末は、送受信機と、前記送受信機と接続する少なくとも１つのプロセッサとを備え、
前記プロセッサは、メモリに格納されたプログラムを読み出し、
同期信号を検出するためのベースバンドパラメータを決定し、
決定されたベースバンドパラメータに基づき、同期信号を検出し、
前記送受信機は、前記プロセッサの制御によりデータを送受信する。
【００２７】
可能な実施形態では、前記プロセッサは、前記メモリに格納されたプログラムを読み出し、
事前に約定された１つまたは複数のベースバンドパラメータを、同期信号を検出するためのベースバンドパラメータとして決定し、または、
通信システムによりサポートされたかまたは定義された１つまたは複数のベースバンドパラメータを、同期信号を検出するためのベースバンドパラメータとして決定し、または、
周波数帯域とベースバンドパラメータとの対応関係に基づき、前記端末が現在同期信号を検出している周波数帯域に対応するベースバンドパラメータを決定し、決定されたベースバンドパラメータを、同期信号を検出するためのベースバンドパラメータとして決定する。
【００２８】
また、決定されたベースバンドパラメータが複数であれば、前記プロセッサは、前記メモリに格納されたプログラムを読み出し、
決定された各ベースバンドパラメータに基づき、前記同期信号をブラインド検出する。
【００２９】
可能な実施形態では、前記プロセッサは、前記メモリに格納されたプログラムを読み出し、事前に約定された時間領域リソース及び/または周波数領域リソースにおいて、前記同期信号を検出する。
【００３０】
可能な実施形態では、前記プロセッサは、前記メモリに格納されたプログラムを読み出し、
検出された同期信号に基づき、前記端末の所属の送受信ポイントＴＲＰグループを決定し、または、
同期信号とサブバンド/ＴＲＰ/ビームとの対応関係に基づき、前記端末が常駐またはアクセスするためのサブバンド、ＴＲＰ及び/またはビームを決定する。
【００３１】
また、前記プロセッサは、前記メモリに格納されたプログラムを読み出し、検出された同期信号から、信号強度が最大の同期信号を選出し、
同期信号とＴＲＰグループ識別子（ＩＤ）との対応関係に基づき、選出された同期信号に対応するＴＲＰグループＩＤを決定し、
決定されたＴＲＰグループＩＤに対応するＴＲＰグループを、前記端末の所属のＴＲＰグループとして決定する。
【００３２】
第５態様によれば、ネットワーク側装置は、
同期信号を送信するためのベースバンドパラメータを決定する決定モジュールと、
決定されたベースバンドパラメータに基づき、同期信号を送信する送信モジュールとを備える。
【００３３】
可能な実施形態では、前記決定モジュールは、
事前に約定された１つまたは複数のベースバンドパラメータを、同期信号を送信するためのベースバンドパラメータとして決定し、または、
通信システムによりサポートされたかまたは定義された１つまたは複数のベースバンドパラメータを、同期信号を送信するためのベースバンドパラメータとして決定し、または、
周波数帯域とベースバンドパラメータとの対応関係に基づき、前記ネットワーク側装置が現在同期信号を送信している周波数帯域に対応するベースバンドパラメータを決定し、決定されたベースバンドパラメータを、同期信号を送信するためのベースバンドパラメータとして決定する。
【００３４】
また、決定されたベースバンドパラメータが複数であれば、前記送信モジュールは、決定されたベースバンドパラメータから１つを選出し、選出されたベースバンドパラメータに基づき、前記同期信号を送信する。
【００３５】
可能な実施形態では、前記送信モジュールは、事前に約定された時間領域リソース及び/または周波数領域リソースにおいて、前記同期信号を送信する。
【００３６】
前記同期信号は、前記端末の所属の送受信ポイントＴＲＰグループを決定するのに用いられ、または、
可能な実施形態では、前記同期信号と、サブバンド/ＴＲＰ/ビームとの間に対応関係が存在し、前記同期信号は、前記端末が常駐またはアクセスするためのサブバンド、ＴＲＰ及び/またはビームを決定するのみ用いられる。
【００３７】
第６態様によれば、ネットワーク側装置は、送受信機と、前記送受信機と接続する少なくとも１つのプロセッサとを備え、前記プロセッサは、前記メモリに格納されたプログラムを読み出し、
同期信号を送信するためのベースバンドパラメータを決定し、
決定されたベースバンドパラメータに基づき、送受信機により同期信号を送信し、
前記送受信機は、前記プロセッサの制御によりデータを送受信する。
【００３８】
可能な実施形態では、前記プロセッサは、前記メモリに格納されたプログラムを読み出し、事前に約定された１つまたは複数のベースバンドパラメータを、同期信号を送信するためのベースバンドパラメータとして決定し、または、
通信システムによりサポートされたかまたは定義された１つまたは複数のベースバンドパラメータを、同期信号を送信するためのベースバンドパラメータとして決定し、または、
周波数帯域とベースバンドパラメータとの対応関係に基づき、前記ネットワーク側装置が現在同期信号を送信している周波数帯域に対応するベースバンドパラメータを決定し、決定されたベースバンドパラメータを、同期信号を送信するためのベースバンドパラメータとして決定する。
【００３９】
また、決定されたベースバンドパラメータが複数であれば、前記プロセッサは、前記メモリに格納されたプログラムを読み出し、決定されたベースバンドパラメータから１つを選出し、選出されたベースバンドパラメータに基づき、前記送受信機により、前記同期信号を送信する。
【００４０】
可能な実施形態では、前記プロセッサは、前記メモリに格納されたプログラムを読み出し、事前に約定された時間領域リソース及び/または周波数領域リソースにおいて、前記送受信機により、前記同期信号を送信する。
【００４１】
可能な実施形態では、前記同期信号は、前記端末の所属の送受信ポイントＴＲＰグループを決定するのに用いられ、または、
前記同期信号と、サブバンド/ＴＲＰ/ビームとの間に対応関係が存在し、前記同期信号は、前記端末が常駐またはアクセスするためのサブバンド、ＴＲＰ及び/またはビームを決定するのみ用いられる。
【００４２】
第７態様によれば、第１の態様による方法を実行するように構成された実行可能プログラムコードを格納するコンピュータ可読記憶媒体が提供される。
【００４３】
第８態様によれば、第２の態様による方法を実行するように構成された実行可能プログラムコードを格納するコンピュータ可読記憶媒体が提供される。
【発明の効果】
【００４４】
本発明の実施例に係る方法及び装置によれば、端末は、同期信号を検出する前、まず、同期信号を検出するためのベースバンドパラメータを決定し、そして、決定されたベースバンドパラメータに基づき、同期信号を検出し、こうして、複数のベースバンドパラメータをサポートする将来の通信システムにおいて同期信号を送信するためのベースバンドパラメータを識別して、正しく同期信号を検出することができるようになる。
【図面の簡単な説明】
【００４５】
【図１Ａ】ＬＴＥ ＦＤＤシステムにけるフレーム構成１を示す図である。
【図１Ｂ】ＬＴＥ ＦＤＤシステムにけるフレーム構成２を示す図である。
【図２Ａ】本発明の実施例に係る同期信号を検出する方法を示す図である。
【図２Ｂ】本発明の実施例に係る同期信号を送信する方法を示す図である。
【図３】本発明の実施例１に係る応用シナリオを示す図である。
【図４】本発明の実施例２に係る応用シナリオを示す図である。
【図５】本発明の実施例３に係る応用シナリオを示す図である。
【図６】本発明の実施例に係る端末を示す図である。
【図７】本発明の実施例に係る端末を示す図である。
【図８】本発明の実施例に係るネットワーク側装置を示す図である。
【図９】本発明の実施例に係る他のネットワーク側装置を示す図である。
【発明を実施するための形態】
【００４６】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００４７】
まず、本発明の実施の形態において言及される複数の技術用語について説明する。
【００４８】
本発明に係る実施例では、通信システムに配置されたＴＲＰは、例えばシステム情報領域（Ｓｙｓｔｅｍ Ｉｎｆｏｒｍａｔｉｏｎ Ａｒｅａ，ＳＩＡ）に従って複数のＴＲＰグループにグループ化され、すなわち、ＳＩＡはＴＲＰグループであり、各ＴＲＰグループは以下の特徴を有する。
【００４９】
別個のＴＲＰ ｇｒｏｕｐ ＩＤがある。
【００５０】
ＴＲＰグループにはグループ固有（ｇｒｏｕｐ−ｓｐｅｃｉｆｉｃ）の同期信号があり、例えば、同期信号は１つのみ、例えば第１の同期信号ｓｙｎｃ１のみである。または複数の同期信号、例えば第１の同期信号synｃ1及び第２の同期信号ｓｙｎｃ2があり得る。当該同期信号は、ＴＲＰグループ内のすべてのＴＲＰまたはシステム情報領域（ＳＩＡ）に適用可能である。
【００５１】
ＴＲＰグループには、グループ固有（ｇｒｏｕｐ-ｓｐｅｃｉｆｉｃ）のシステム情報があり、当該システム情報は、ＴＲＰグループに常駐／アクセスするために必要な情報を含む必要システム情報とも呼ばれ、特にマスター情報ブロック（Ｍａｓｔｅｒ Ｉｎｆｏｒｍａｔｉｏｎ Ｂｌｏｃｋ， ＭＩＢ）およびシステム情報ブロック（Ｓｙｓｔｅｍ Ｉｎｆｏｒｍａｔｉｏｎ Ｂｌｏｃｋ，ＳＩＢ）として表すことができる。つまりシステム情報は、当該ＴＲＰ ｇｒｏｕｐ内のすべてのＴＲＰグループまたはSIＡに適用可能な設定情報である。
【００５２】
アイドル（ＩＤＬＥ）状態の端末はＴＲＰ ｇｒｏｕｐに常駐できる。
【００５３】
ＴＲＰ ｇｒｏｕｐは少なくとも１つのＴＲＰ／ビームを含むことができ、ここで、ＴＲＰ ｇｒｏｕｐが複数のＴＲＰ／ビームを含む場合、異なるＴＲＰ/ビームは互いに同期または非同期であり得る。
【００５４】
本発明に係る実施例では、前記ＴＲＰ/ビームは以下の特徴を有する。
【００５５】
各ＴＲＰに１つのＩＤがあり、ＴＲＰが複数のビームを含む場合、各ビームが１つのＩＤを有する。
【００５６】
各ＩＤは、ＩＤを識別するための１つまたは複数の同期信号シーケンス、たとえば第３の同期信号に対応する。
【００５７】
各ＴＲＰ/ビームの送信帯域幅は、システム帯域幅全体、またはシステム帯域幅内の周波数リソースの一部、例えばシステム帯域幅内の１つまたは複数のサブバンドとすることができる。
【００５８】
ＴＲＰまたはビームの送信帯域幅内の異なる周波数リソースにおいて各ＴＲＰまたはビームに異なるベースバンドパラメータを適用することができ、および／または、異なる時間領域リソースにおいて、異なるベースバンドパラメータを適用することができる。
【００５９】
本発明に係る実施例では、ベースバンドパラメータは、ＯＦＤＭシンボルの長さと、ＣＰの長さと、サブキャリア間隔などのうちの少なくとも１つを含むが、これに限定しない。
【００６０】
以下、本発明の実施の形態について図面を参照しながらさらに詳細に説明する。以下に記載される実施形態は、本発明を例示および説明することのみを意図しており、本発明をそれに限定することを意図していないことを理解されたい。
【００６１】
図２Ａに示す実施例に係る同期信号を検出する方法は、以下のステップを備える。
【００６２】
Ｓ２１、端末は、同期信号を検出するためのベースバンドパラメータを決定する。
【００６３】
Ｓ２２、前記端末は、決定されたベースバンドパラメータに基づき、同期信号を検出する。
【００６４】
本発明に係る実施例では、端末は、同期信号を検出する前、まず、同期信号を検出するためのベースバンドパラメータを決定し、そして、決定されたベースバンドパラメータに基づき、同期信号を検出し、こうして、複数のベースバンドパラメータをサポートする将来の通信システムにおいて同期信号を送信するためのベースバンドパラメータを識別して、正しく同期信号を検出することができるようになる。
【００６５】
本発明に係る実施例では、前記同期信号は、一次同期信号（Ｐｒｉｍａｒｙ Ｓｙｎｃｈｒｏｎｉｚａｔｉｏｎ Ｓｉｇｎａｌ，ＰＳＳ）と、二次同期信号（Ｓｅｃｏｎｄａｒｙ Ｓｙｎｃｈｒｏｎｉｚａｔｉｏｎ Ｓｉｇｎａｌ，ＳＳＳ）と、サブバンド検出信号とのうちの少なくとも一つを含む。
【００６６】
本発明に係る実施例では、前記同期信号は、初期同期信号とアクセス同期信号とのうちの少なくとも一つを含む。
【００６７】
ここで、前記初期同期信号は端末の所属のＴＲＰグループを決定するために使用され、前記初期同期信号はただ１つの同期信号、例えば同期信号１を含むことができ、あるいは複数の同期信号、例えば同期信号１及び同期信号２を含むことができる。
【００６８】
前記アクセス同期信号は、端末が常駐するサブバンド、ＴＲＰ及び/またはビーム（Ｂｅａｍ）を決定するために使用されるか、または、前記アクセス同期信号は、端末がアクセスするサブバンド、ＴＲＰ及び/またはビーム（Ｂｅａｍ）を決定するために使用される。前記アクセス同期信号は、１つの同期信号のみ、例えば同期信号３を含むことができ、あるいは複数の同期信号、例えば同期信号３および同期信号４を含むことができる。
【００６９】
上記いずれの実施例に基づき、Ｓ１２での前記端末は、同期信号を検出するためのベースバンドパラメータを決定するのに、以下の方式で実施する。
【００７０】
方式１、前記端末は、事前に約定された１つまたは複数のベースバンドパラメータを、同期信号を検出するためのベースバンドパラメータとして決定する。
【００７１】
前記方式では、前記端末は、いつも前記事前に約定されたベースバンドパラメータで前記同期信号を検出する。例えば、前記端末は、１５ＫＨｚのサブキャリア間隔と、サブキャリアにおける対応するシンボル長、ＣＰ長、および他のパラメータとに従って、前期同期信号を常に検出する。
【００７２】
前記方式では、事前に約定されたベースバンドパラメータが複数であれば、前記端末は、各ベースバンドパラメータに基づき、前記同期信号をブラインド検出する。
【００７３】
方式２、前記端末は、通信システムによりサポートされたかまたは定義された１つまたは複数のベースバンドパラメータを、同期信号を検出するためのベースバンドパラメータとして決定する。
【００７４】
前記方式では、通信システムによりサポートされたかまたは定義されたベースバンドパラメータが複数であれば、前記端末は、各ベースバンドパラメータに基づき、前記同期信号をブラインド検出する。
【００７５】
方式３、前記端末は、周波数帯域とベースバンドパラメータとの対応関係に基づき、前記端末が現在同期信号を検出している周波数帯域に対応するベースバンドパラメータを決定し、決定されたベースバンドパラメータを、同期信号を検出するためのベースバンドパラメータとして決定する。
【００７６】
例えば、３種のベースバンドパラメータの定義は表２に示すように、周波数帯域1は、ベースバンドパラメータ１及びベースバンドパラメータ２を定義し、周波数帯域２は、ベースバンドパラメータ３を定義する。別の例として、周波数帯域1はベースバンドパラメータ１を定義し、周波数帯域2はベースバンドパラメータ２を定義し、周波数帯域３は、ベースバンドパラメータ３定義するなど。
【００７７】
ここで、３種のベースバンドパラメータの１種可能な定義方式を表２に示す。
【００７８】
【表２】
2019530288.tif 000004
【００７９】
周波数帯域とデフォルトのベースバンドパラメータとの対応関係の１種の可能な形態を、表３に示す。
【００８０】
【表３】
2019530288.tif 000005
【００８１】
周波数帯域とデフォルトのベースバンドパラメータとの対応関係の他の１種の可能な形態を、表４に示す。
【００８２】
【表４】
2019530288.tif 000006
【００８３】
前記方式では、前記端末が対応関係により現在検出している周波数帯域に対応するベースバンドパラメータが複数であれば、前記端末は、各ベースバンドパラメータに基づき、前記同期信号をブラインド検出する。
【００８４】
上記いずれの実施例に基づき、前記方法では、前記端末は、事前に約定された時間領域リソース及び/または周波数領域リソースにおいて、前記同期信号を検出する。
【００８５】
具体的に、前記同期信号は、例えばシステム帯域幅の中央のＹ１個のＲＢまたはＹ２個のサブキャリアで、事前に約定された時間リソースおよび／または周波数リソースにおいて送信され、さらに所定の無線フレーム内の所定の時間位置で送信することができる。
【００８６】
上記いずれの実施例に基づき、前記端末は、決定されたベースバンドパラメータに基づき、同期信号を検出した後、前記方法では、前記端末は、検出された同期信号に基づき、決定前記端末の所属のＴＲＰグループ。
【００８７】
ここで、初期同期信号とＴＲＰグループＩＤとの間に対応関係が存在し、前記端末が初期同期信号を検出した場合、前記対応関係に基づき、検出された初期同期信号に対応するＴＲＰグループＩＤを決定して、前記ＴＲＰグループＩＤに対応するＴＲＰグループの同期を取得する。
【００８８】
具体的に、前記端末が検出された同期信号に基づき、前記端末の所属の送受信ポイントＴＲＰグループを決定する場合、
前記端末は、検出された同期信号から、信号強度が最大の同期信号を選出し、
前記端末は、同期信号とＴＲＰグループ識別子（ＩＤ）との対応関係に基づき、選出された同期信号に対応するＴＲＰグループＩＤを決定し、
前記端末は、決定されたＴＲＰグループＩＤに対応するＴＲＰグループを、前記端末の所属のＴＲＰグループとして決定する。
【００８９】
上記いずれの実施例に基づき、前記端末は、決定されたベースバンドパラメータに基づき、同期信号を検出した後、前記方法では、前記端末は、検出された同期信号に基づき、前記端末の所属のＴＲＰグループとの同期関係を決定する。
【００９０】
ここで、前記同期関係は、例えば、ＴＲＰグループの必要なシステム情報を受信するため、アクセス同期信号を検出するためなどに、ＴＲＰグループ内のダウンリンク受信に使用することができる。
【００９１】
上記いずれの実施例に基づき、前記端末は、決定されたベースバンドパラメータに基づき、同期信号を検出した後、前記方法では、
前記端末は、検出された同期信号に用いられるベースバンドパラメータを、端末のその後の動作に対するベースバンドパラメータとして決定する。
【００９２】
例えば、前記ＴＲＰグループは１つのＴＲＰ、前記ＴＲＰが送信した初期同期信号のみを含み、端末は、前記初期同期信号を検出した後、自身を前記ＴＲＰに帰属させ、ダウンリンクにおいてＴＲＰと同期される。さらに、端末が前記ＴＲＰにおいて動作する場合、検出された初期同期信号に対応するベースバンドパラメータに基づいて直接動作することができる。
【００９３】
別の例では、前記ＴＲＰグループに複数のＴＲＰ/サブバンド/ビームが含まれる。各ＴＲＰ/サブバンド/ビームのベースバンドパラメータが同じであれば、前記ＴＲＰグループ内の事前に約定された全部または一部のＴＲＰが初期同期信号を送信するので、端末が前記初期同期信号を検出した後、端末は前記ＴＲＰグループグループに属し、ダウンリンクにおいて前記ＴＲＰグループと同期され、さらに、ＴＲＰグループ内のＴＲＰのうちの１つにアクセスして、そこで動作する端末は、検出された初期同期信号に対応するベースバンドパラメータに基づいて直接動作することができる。例えば、検出された初期同期信号に対応するベースバンドパラメータに基づいて、アクセス同期信号を直接に検出することができる。その結果、端末は、最も高いアクセス同期信号に対応するＴＲＰを選択することができ、前記ＴＲＰに帰属/常駐/アクセスしてさらに動作する。また、ＴＲＰを使用して前記ＴＲＰ内でデータをさらに送信することもでき、この場合、検出された初期同期信号に対応するベースバンドパラメータを用いる。
【００９４】
上記いずれの実施例に基づき、前記端末は、決定されたベースバンドパラメータに基づき、同期信号を検出した後、前記方法では、前記端末は、同期信号とサブバンド/ＴＲＰ/ビームとの対応関係に基づき、前記端末が常駐またはアクセスするためのサブバンド、ＴＲＰ及び/またはビームを決定する。
【００９５】
ここで、アクセス同期信号と、サブバンド/ＴＲＰ/ビームとの間に対応関係が存在し、前記端末は、アクセス同期信号を検出した場合、前記対応関係に基づき、検出されたアクセス同期信号に対応するサブバンド/ＴＲＰ/ビームを決定して、サブバンドまたは、ＴＲＰまたはビームに常駐またはアクセスし、伝送する。
【００９６】
また、送信アクセス同期信号のサブバンドまたはＴＲＰまたはビームがＴＲＰグループ内の初期同期信号を送信するためのＴＲＰと同期しない場合、前記端末は、アクセス同期信号を検出することにより、前記アクセス同期信号に対応するサブバンドまたはＴＲＰまたはビームを取得して、同期する。
【００９７】
図２Ｂに示す実施例に係る同期信号を送信する方法は、以下のステップを備える。
【００９８】
Ｓ３１、ネットワーク側装側置は、同期信号を送信するためのベースバンドパラメータを決定する。
【００９９】
Ｓ３２、前記ネットワーク側装置は、決定されたベースバンドパラメータに基づき、同期信号を送信する。
【０１００】
本発明に係る実施例では、前記ネットワーク側装置が同期信号を送信するためのベースバンドパラメータを決定する場合、
前記ネットワーク側装置は、事前に約定された１つまたは複数のベースバンドパラメータを、同期信号を送信するためのベースバンドパラメータとして決定し、または、
前記ネットワーク側装置は、通信システムによりサポートされたかまたは定義された１つまたは複数のベースバンドパラメータを、同期信号を送信するためのベースバンドパラメータとして決定し、または、
前記ネットワーク側装置は、周波数帯域とベースバンドパラメータとの対応関係に基づき、前記ネットワーク側装置が現在同期信号を送信している周波数帯域に対応するベースバンドパラメータを決定し、決定されたベースバンドパラメータを、同期信号を送信するためのベースバンドパラメータとして決定する。
【０１０１】
また、決定されたベースバンドパラメータが複数であれば、前記ネットワーク側装置は、決定されたベースバンドパラメータに基づき、同期信号を送信する場合、前記ネットワーク側装置は、決定されたベースバンドパラメータから１つを選出し、選出されたベースバンドパラメータに基づき、前記同期信号を送信する。
【０１０２】
可能な実施形態では、前記方法では、前記ネットワーク側装置は、事前に約定された時間領域リソース及び/または周波数領域リソースにおいて、前記同期信号を送信する。
【０１０３】
上記いずれの実施例に基づき、前記同期信号は、前記端末の所属の送受信ポイントＴＲＰグループを決定するのに用いられ、または、
前記同期信号と、サブバンド/ＴＲＰ/ビームとの間に対応関係が存在し、前記同期信号は、前記端末が常駐またはアクセスするためのサブバンド、ＴＲＰ及び/またはビームを決定するのみ用いられる。
【０１０４】
以下、３つの実施例を挙げて、本発明の実施例に係る同期信号を送信・検出する方法をさらに詳しく説明する。
【０１０５】
実施例１：本実施例の応用シナリオは、図３に示すように、各システム情報領域（Ｓｙｓｔｅｍ Ｉｎｆｏｒｍａｔｉｏｎ Ａｒｅａ，ＳＩＡ）は１つのＴＲＰ ｇｒｏｕｐに対応する。各ＴＲＰそれぞれは、同期信号及びシステム情報を送信する。端末は、いずれのＴＲＰにアクセスまたは常駐する場合、まず、検出初期同期信号（即ち、同期信号１及び/または同期信号２）を検出する。ここで、初期同期信号は、システム帯域幅的固定位置に約定することができ、例えば、システム帯域幅の中間位置に約定され、こうして、システム帯域幅を取得した後、初期同期信号の周波数領域位置に基づき、システム帯域幅の周波数領域位置を決定する。勿論、初期同期信号の時間領域送信位置をさらに約定し、こうして、前記初期同期信号をブラインド検出した後、取得された時間領域境界（例えば、無線フレーム/サブフレーム/シンボル境界）の推測に便利である。
前記端末は、以下の方式で初期同期信号を検出する。
【０１０６】
１）端末は、デフォルトのベースバンドパラメータに基づいて初期同期信号を検出することができ、例えば、デフォルトのベースバンドパラメータは、１５ｋＨｚサブキャリア間隔、及び前記サブキャリア間隔の場合定義されたＯＦＤＭシンボル、ＣＰ、サブフレーム（またはｍｉｎ−ｆｒａｍｅ）などの長さである。複数の初期同期信号シーケンスを検出した場合、検出強度が最大の初期同期信号シーケンスを選出して検出された初期同期信号として決定する。
【０１０７】
２）前記端末は、通信システムによってサポートされた複数のベースバンドパラメータブラインドに基づき検出してもよい。たとえば、まず、１５ｋＨｚサブキャリア間隔及び前記サブキャリア間隔場合の対応のパラメータに基づいて初期同期信号を検出して、６０ｋＨｚサブキャリア間隔及び前記サブキャリア間隔場合の対応のパラメータに基づいて初期同期信号を検出する。より多くのベースバンドパラメータが定義された場合、このように類推する。検出強度が最大のベースバンドパラメータ場合の初期同期信号を選出して、検出された初期同期信号とする。
【０１０８】
３）前記端末は、事前に約定された周波数帯域とベースバンドパラメータとの対応関係に基づいて、端末が初期同期信号を検出している現在の周波数帯域に対応するベースバンドパラメータ決定する。照前記ベースバンドパラメータに基づき、初期同期信号を検出する。例えば、現在の周波数帯域が周波数帯１であり、表３の周波数帯域1に対応するベースバンドパラメータ１であれば、前記端末は、ベースバンドパラメータ１に基づいて初期同期信号を検出する。または、表4周波数帯域1に対応するベースバンドパラメータ１及びベースバンドパラメータ２である場合、前記端末は、ベースバンドパラメータ１及びベースバンドパラメータ２に基づいて、初期同期信号をブラインド検出する。検出強度が最大のベースバンドパラメータ場合の初期同期信号を選出して、検出された初期同期信号として決定する。
【０１０９】
本実施例では、前記端末は、検出された初期同期信号と、初期同期信号とＴＲＰ ＩＤとの対応関係に基づき、前記初期同期信号に対応するＴＲＰを決定して、初期同期を行い、前記ＴＲＰで送信されたシステム情報を読み出し、その後の通信プロセスを進む。
【０１１０】
実施例２：本実施例の応用シナリオは、図４に示すように、１つのＳＩＡが１つのＴＲＰ ｇｒｏｕｐに対応する。各ＴＲＰ ｇｒｏｕｐに複数のＴＲＰが含まれる。複数のＴＲＰの間に、同期してもよく、非同期でもよい。全部または一部のＴＲＰは、同様な初期同期信号及び前記システム情報を送信する。端末は、当該ＴＲＰ ｇｒｏｕｐにアクセスまたは常駐する場合、まず、初期同期信号を検出し、そのプロセスは実施例１と類似するため、これ以上説明しない。ＴＲＰ ｇｒｏｕｐと同期して、そして、当該ＴＲＰ ｇｒｏｕｐで送信するシステム情報を読み出す。
【０１１１】
本実施例では、前記端末は、検出された初期同期信号と、初期同期信号とＴＲＰグループＩＤとの対応関係に基づき、前記初期同期信号に対応するＴＲＰグループを決定し、初期同期を行い、前記ＴＲＰグループで送信するシステム情報を読み出し、その後の通信プロセスに進む。
【０１１２】
実施例３：本実施例の応用シナリオは、図５に示すように、１つのＳＩＡが１つのＴＲＰ ｇｒｏｕｐに対応する。各ＴＲＰ ｇｒｏｕｐに複数のＴＲＰが含まれる。複数のＴＲＰの間に、同期してもよく、非同期でもよい。一部のＴＲＰは高周波帯域で動作し、他のＴＲＰは高周波で動作する。初期同期信号は、１つの周波数帯域上の全部または一部のＴＲＰ上のみにおいて送信されるか、または、低周波帯域と高周波帯域の両方のＴＲＰの一部または全部で送信される。送信に係るＴＲＰにより送信された初期同期信号は同じである。
【０１１３】
前記端末がＴＲＰ ｇｒｏｕｐにアクセスまたは常駐する場合、まず初期同期信号を検出する。（初期アクセス信号は、システム帯域幅内の固定位置、例えばシステム帯域幅の中心に約定することができる。端末は、システム帯域幅を取得した後、初期同期信号の周波数位置に基づいてシステム帯域幅の周波数位置を決定する。勿論、初期同期信号の送信時間位置はさらに約定され得る。前記同期信号をブラインド検出した後、無線フレーム/サブフレーム/シンボル境界のような時間領域境界の推測に便利である）。
【０１１４】
本実施例では、端末は、２つの周波数帯域において初期同期信号を検出する必要がある。
【０１１５】
例を挙げて説明する。例えば、端末は常に低周波数帯域において、初期同期信号をデフォルトで最初に検出することができ、具体的な検出は、実施例２を参照されたく、これ以上説明しない。初期同期信号が検出された場合、低周波数帯域と同期され、そして低周波数帯域において、ＴＲＰ ｇｒｏｕｐが送信した前記システム情報を受信する。しかし低周波数帯域で初期同期信号を検出しない場合、端末は高周波数帯域で初期同期信号を検出し、高周波数帯域と同期され、その後、高周波数帯域においてＴＲＰ ｇｒｏｕｐが送信した前記システム情報を受信する。
【０１１６】
別の例では、前記端末は、低周波数帯域および高周波数帯域において、初期同期信号を検出することもでき、具体的な検出は、実施例２を参照されたい。信号が最大の周波数帯域を選択して同期させ、そして、当該周波数帯域においてＴＲＰ ｇｒｏｕｐが送信した前記システム情報を受信する。
【０１１７】
さらに別の例では、ある周波数帯域のみをサポートする端末の場合、前記端末はサポートされる当該周波数帯域内でのみ初期同期信号を検出し、具体的な検出は、実施例２を参照されたく、これ以上説明しない。ダウンリンク内で同期され、次いで、当該周波数帯域内で送信されたシステム情報を受信することができる。
【０１１８】
上記の実施例のいずれか１つにおいて、初期同期信号は、１つの同期信号のみ、例えば同期信号１を含むことができ、あるいは複数の同期信号、例えば同期信号１および同期信号２を含むことができる。
【０１１９】
上記の実施例のいずれか１つにおいて、初期同期信号はアクセス同期信号、例えば同期信号３、または同期信号３と同期信号４とに置き換えられ、アクセス同期信号の検出と類似するが、アクセス同期信号が検出される時間位置および／または周波数位置は、事前に約定される。または、初期同期信号を検出してシステム情報を受信した後、前記システム情報に指示により得られることができる。または、システム帯域幅においてブラインド検出して得ることもできる。
【０１２０】
上記方法の処理フローはソフトウェアプログラムで実行することができ、ソフトウェアプログラムは記憶媒体に格納することができ、格納されたソフトウェアプログラムが呼び出されると、それは上記方法のステップを実行することができる。
【０１２１】
同様な発明思想に基づき、本発明実施例は、端末をさらに提供し、前記端末の課題解決原理は、図２Ａに示す方法実施例と類似するため、前記端末の実施は、方法の実施を参照することができ、繰り返して説明しない。
【０１２２】
図６に示す実施例に係る端末は、
同期信号を検出するためのベースバンドパラメータを決定するパラメータ決定モジュール６１と、
決定されたベースバンドパラメータに基づき、同期信号を検出する検出モジュール６２とを備える。
【０１２３】
可能な実施形態では、前記パラメータ決定モジュール６１は、
事前に約定された１つまたは複数のベースバンドパラメータを、同期信号を検出するためのベースバンドパラメータとして決定し、または、
通信システムによりサポートされたかまたは定義された１つまたは複数のベースバンドパラメータを、同期信号を検出するためのベースバンドパラメータとして決定し、または、
周波数帯域とベースバンドパラメータとの対応関係に基づき、前記端末が現在同期信号を検出している周波数帯域に対応するベースバンドパラメータを決定し、決定されたベースバンドパラメータを、同期信号を検出するためのベースバンドパラメータとして決定する。
【０１２４】
可能な実施形態では、決定されたベースバンドパラメータが複数であれば、前記検出モジュールは、決定された各ベースバンドパラメータに基づき、前記同期信号をブラインド検出する。
【０１２５】
可能な実施形態では、前記検出モジュールは、
事前に約定された時間領域リソース及び/または周波数領域リソースにおいて、前記同期信号を検出する。
【０１２６】
可能な実施形態では、前記検出モジュールは、
検出された同期信号に基づき、前記端末の所属の送受信ポイントＴＲＰグループを決定し、または、
同期信号とサブバンド/ＴＲＰ/ビームとの対応関係に基づき、前記端末が常駐またはアクセスするためのサブバンド、ＴＲＰ及び/またはビームを決定する。
【０１２７】
可能な実施形態では、前記検出モジュールは、
検出された同期信号から、信号強度が最大の同期信号を選出し、
同期信号とＴＲＰグループ識別子（ＩＤ）との対応関係に基づき、選出された同期信号に対応するＴＲＰグループＩＤを決定し、
決定されたＴＲＰグループＩＤに対応するＴＲＰグループを、前記端末の所属のＴＲＰグループとして決定する。
【０１２８】
図７に示す実施例に係る他の端末は、送受信機７１と、送受信機７１に接続する少なくとも１つのプロセッサ７２とを備える。
【０１２９】
前記プロセッサ７２は、メモリ７３に格納されたプログラムを読み出し、同期信号を検出するためのベースバンドパラメータを決定し、
決定されたベースバンドパラメータに基づき、同期信号を検出し、
前記送受信機７１は、プロセッサ７２の制御によりデータを送受信する。
【０１３０】
図７において、バスアーキテクチャは、いずれかの数の相互接続するバス及びブリッジを備える。具体的に、プロセッサ７２が代表となる１つまたは複数のプロセッサ及びメモリ７３が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機７１は、複数の部品であることができ、即ち、送信機及び受信機を備え、伝送媒体を介して他の装置と通信するユニットを提供する。異なるユーザー設備に対し、ユーザーインターフェース７４は、外部接続または内部接続に必要な設備のインターフェースであることもできる。接続する設備は、キーパッド、ディスプレー、スピーカー、マイクロホン、ジョイスティック等を備えるが、これに限られない。プロセッサ７２は、バズアーキテクチャ及び通常の処理を管理し、タイミング、周辺インタフェース、電圧調整、電力管理、その他の制御機能など、さまざまな機能も提供できる。メモリ７３は、プロセッサ７２が動作する際に利用するデータを記憶することができる。
【０１３１】
好ましくは、プロセッサ７２は、ＣＰＵ、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ−Ｐｒｏｇｒａｍｍａｂｌｅ Ｇａｔｅ Ａｒｒａｙ）またはＣＰＬＤ（Ｃｏｍｐｌｅｘ Ｐｒｏｇｒａｍｍａｂｌｅ Ｌｏｇｉｃ Ｄｅｖｉｃｅ，ＣＰＬＤ）とすることができる。
【０１３２】
可能な実施形態では、プロセッサ７２は、メモリ７３に格納されたプログラムを読み出し、事前に約定された１つまたは複数のベースバンドパラメータを、同期信号を検出するためのベースバンドパラメータとして決定し、または、
通信システムによりサポートされたかまたは定義された１つまたは複数のベースバンドパラメータを、同期信号を検出するためのベースバンドパラメータとして決定し、または、
周波数帯域とベースバンドパラメータとの対応関係に基づき、前記端末が現在同期信号を検出している周波数帯域に対応するベースバンドパラメータを決定し、決定されたベースバンドパラメータを、同期信号を検出するためのベースバンドパラメータとして決定する。
【０１３３】
可能な実施形態では、決定されたベースバンドパラメータが複数であれば、プロセッサ７２は、メモリ７３に格納されたプログラムを読み出し、決定された各ベースバンドパラメータに基づき、前記同期信号をブラインド検出する。
【０１３４】
可能な実施形態では、プロセッサ７２は、メモリ７３に格納されたプログラムを読み出し、事前に約定された時間領域リソース及び/または周波数領域リソースにおいて、前記同期信号を検出する。
【０１３５】
可能な実施形態では、プロセッサ７２は、メモリ７３に格納されたプログラムを読み出し、検出された同期信号に基づき、前記端末の所属の送受信ポイントＴＲＰグループを決定し、または、
同期信号とサブバンド/ＴＲＰ/ビームとの対応関係に基づき、前記端末が常駐またはアクセスするためのサブバンド、ＴＲＰ及び/またはビームを決定する。
【０１３６】
可能な実施形態では、プロセッサ７２は、メモリ７３に格納されたプログラムを読み出し、
検出された同期信号から、信号強度が最大の同期信号を選出し、
同期信号とＴＲＰグループ識別子（ＩＤ）との対応関係に基づき、選出された同期信号に対応するＴＲＰグループＩＤを決定し、
決定されたＴＲＰグループＩＤに対応するＴＲＰグループを、前記端末の所属のＴＲＰグループとして決定する。
【０１３７】
同様な発明思想に基づき、本発明実施例は、ネットワーク側装置をさらに提供し、前記装置の課題解決原理は、図２Ｂに示す方法実施例と類似するため、前記装置の実施は、方法の実施を参照することができ、繰り返して説明しない。
【０１３８】
図８に示す実施例に係るネットワーク側装置は、
同期信号を送信するためのベースバンドパラメータを決定する決定モジュール８１と、
決定されたベースバンドパラメータに基づき、同期信号を送信する送信モジュール８２とを備える。
【０１３９】
可能な実施形態では、前記決定モジュール８１は、
事前に約定された１つまたは複数のベースバンドパラメータを、同期信号を送信するためのベースバンドパラメータとして決定し、または、
通信システムによりサポートされたかまたは定義された１つまたは複数のベースバンドパラメータを、同期信号を送信するためのベースバンドパラメータとして決定し、または、
周波数帯域とベースバンドパラメータとの対応関係に基づき、前記ネットワーク側装置が現在同期信号を送信している周波数帯域に対応するベースバンドパラメータを決定し、決定されたベースバンドパラメータを、同期信号を送信するためのベースバンドパラメータとして決定する。
【０１４０】
可能な実施形態では、決定されたベースバンドパラメータが複数であれば、前記送信モジュール８２は、決定されたベースバンドパラメータから１つを選出し、選出されたベースバンドパラメータに基づき、前記同期信号を送信する。
【０１４１】
可能な実施形態では、前記送信モジュール８２は、事前に約定された時間領域リソース及び/または周波数領域リソースにおいて、前記同期信号を送信する。
【０１４２】
図９に示す実施例に係る他のネットワーク側装置は、送受信機９１と、送受信機９１に接続する少なくとも１つのプロセッサ９２とを備える。
【０１４３】
前記プロセッサ９２は、メモリ９３に格納されたプログラムを読み出し、
同期信号を送信するためのベースバンドパラメータを決定し、
決定されたベースバンドパラメータに基づき、送受信機９１により同期信号を送信する。
【０１４４】
前記送受信機９１は、プロセッサ９２の制御によりデータを送受信する。
【０１４５】
ここで、図９において、バスアーキテクチャは、いずれ数の相互接続するバス及びブリッジを備える。具体的に、プロセッサ９２が代表となる１つまたは複数のプロセッサ及びメモリ９３が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機９１は、複数の部品であることができ、即ち、送信機及び受信機を備え、伝送媒体を介して他の装置と通信するユニットを提供する。プロセッサ９２は、バスアーキテクチャ及び通常の処理を管理し、タイミング、周辺インタフェース、電圧調整、電力管理、その他の制御機能など、さまざまな機能も提供できる。メモリ９３は、プロセッサ９２が動作する際に利用するデータを記憶することができる。
【０１４６】
好ましくは、プロセッサ９２は、ＣＰＵ、ＡＳＩＣ、ＦＰＧＡまたはＣＰＬＤとすることができる。
【０１４７】
可能な実施形態では、プロセッサ９２は、メモリ９３に格納されたプログラムを読み出し、事前に約定された１つまたは複数のベースバンドパラメータを、同期信号を送信するためのベースバンドパラメータとして決定し、または、
通信システムによりサポートされたかまたは定義された１つまたは複数のベースバンドパラメータを、同期信号を送信するためのベースバンドパラメータとして決定し、または、
周波数帯域とベースバンドパラメータとの対応関係に基づき、前記ネットワーク側装置が現在同期信号を送信している周波数帯域に対応するベースバンドパラメータを決定し、決定されたベースバンドパラメータを、同期信号を送信するためのベースバンドパラメータとして決定する。
【０１４８】
可能な実施形態では、決定されたベースバンドパラメータが複数であれば、プロセッサ９２は、メモリ９３に格納されたプログラムを読み出し、
決定されたベースバンドパラメータから１つを選出し、選出されたベースバンドパラメータに基づき、送受信機９１により、前記同期信号を送信する。
【０１４９】
可能な実施形態では、プロセッサ９２は、メモリ９３に格納されたプログラムを読み出し、事前に約定された時間領域リソース及び/または周波数領域リソースにおいて、送受信機９１により、前記同期信号を送信する。
【０１５０】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１５１】
以上は本発明の実施形態の方法及び装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における一つまたは複数のフローおよび／またはブロック図における一つまたは複数のブロックに指定する機能を実現する。
【０１５２】
これらのコンピュータプログラム指令は又、コンピュータまたは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つまたは複数のフローおよび／またはブロック図における一つまたは複数のブロックに指定する機能を実現する。
【０１５３】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を実現し、コンピュータまたは他のプログラム可能な設備において実行される指令によって、フロー図における一つまたは複数のフローおよび／またはブロック図における一つまたは複数のブロックに指定する機能を実現する。
【０１５４】
上述した実施形態に記述された技術的な解決手段を改造し、またはその中の一部の技術要素を置換することもできる。そのような、改造と置換は本発明の各実施形態の技術の範囲から逸脱するとは見なされない。
【０１５５】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【０１５６】
本出願は、２０１６年０８月１２日に中国特許局に提出し、出願番号が２０１６１０６６６２７７．７であり、発明名称が「同期信号を送信・検出する方法及び装置」との中国特許出願を基礎とする優先権を主張し、その開示の総てをここに取り込む。
【符号の説明】
【０１５７】
６１  パラメータ決定モジュール
６２  検出モジュール
７１  送受信機
７２  プロセッサ
７３  メモリ
７４  ユーザーインターフェース
８１  決定モジュール
８２  送信モジュール
９１  送受信機
９２  プロセッサ
９３  メモリ
【図１Ａ】
2019530288.tif 000007
【図１Ｂ】
2019530288.tif 000008
【図２Ａ】
2019530288.tif 000009
【図２Ｂ】
2019530288.tif 000010
【図３】
2019530288.tif 000011
【図４】
2019530288.tif 000012
【図５】
2019530288.tif 000013
【図６】
2019530288.tif 000014
【図７】
2019530288.tif 000015
【図８】
2019530288.tif 000016
【図９】
2019530288.tif 000017
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
端末が、同期信号を検出するためのベースバンドパラメータを決定するステップと、
前記端末が、決定されたベースバンドパラメータに基づき、同期信号を検出するステップとを備えることを特徴とする同期信号を検出する方法。
【請求項２】
前記端末が同期信号を検出するためのベースバンドパラメータを決定する場合、
前記端末は、事前に約定された１つまたは複数のベースバンドパラメータを、同期信号を検出するためのベースバンドパラメータとして決定し、または、
前記端末は、通信システムによりサポートされたかまたは定義された１つまたは複数のベースバンドパラメータを、同期信号を検出するためのベースバンドパラメータとして決定し、または、
前記端末は、周波数帯域とベースバンドパラメータとの対応関係に基づき、前記端末が現在同期信号を検出している周波数帯域に対応するベースバンドパラメータを決定し、決定されたベースバンドパラメータを、同期信号を検出するためのベースバンドパラメータとして決定することを特徴とする請求項１に記載の同期信号を検出する方法。
【請求項３】
決定されたベースバンドパラメータが複数であれば、前記端末が、決定されたベースバンドパラメータに基づき、同期信号を検出する場合、
前記端末は、決定された各ベースバンドパラメータに基づき、前記同期信号をブラインド検出することを特徴とする請求項２に記載の同期信号を検出する方法。
【請求項４】
前記端末は、事前に約定された時間領域リソース及び/または周波数領域リソースにおいて、前記同期信号を検出することを特徴とする請求項２に記載の同期信号を検出する方法。
【請求項５】
前記端末は、決定されたベースバンドパラメータに基づき、同期信号を検出した後、前記端末は、検出された同期信号に基づき、前記端末の所属の送受信ポイントＴＲＰグループを決定し、または、
前記端末は、同期信号とサブバンド/ＴＲＰ/ビームとの対応関係に基づき、前記端末が常駐またはアクセスするためのサブバンド、ＴＲＰ及び/またはビームを決定することを特徴とする請求項１ないし請求項４のいずれか１項に記載の同期信号を検出する方法。
【請求項６】
前記端末が検出された同期信号に基づき、前記端末の所属の送受信ポイントＴＲＰグループを決定する場合、
前記端末は、検出された同期信号から、信号強度が最大の同期信号を選出し、
前記端末は、同期信号とＴＲＰグループ識別子（ＩＤ）との対応関係に基づき、選出された同期信号に対応するＴＲＰグループＩＤを決定し、
前記端末は、決定されたＴＲＰグループＩＤに対応するＴＲＰグループを、前記端末の所属のＴＲＰグループとして決定することを特徴とする請求項５に記載の同期信号を検出する方法。
【請求項７】
ネットワーク側装置が、同期信号を送信するためのベースバンドパラメータを決定するステップと、
前記ネットワーク側装置が、決定されたベースバンドパラメータに基づき、同期信号を送信するステップとを備えることを特徴とする同期信号を送信する方法。
【請求項８】
前記ネットワーク側装置が同期信号を送信するためのベースバンドパラメータを決定する場合、
前記ネットワーク側装置は、事前に約定された１つまたは複数のベースバンドパラメータを、同期信号を送信するためのベースバンドパラメータとして決定し、または、
前記ネットワーク側装置は、通信システムによりサポートされたかまたは定義された１つまたは複数のベースバンドパラメータを、同期信号を送信するためのベースバンドパラメータとして決定し、または、
前記ネットワーク側装置は、周波数帯域とベースバンドパラメータとの対応関係に基づき、前記ネットワーク側装置が現在同期信号を送信している周波数帯域に対応するベースバンドパラメータを決定し、決定されたベースバンドパラメータを、同期信号を送信するためのベースバンドパラメータとして決定することを特徴とする請求項７に記載の同期信号を送信する方法。
【請求項９】
決定されたベースバンドパラメータが複数であれば、前記ネットワーク側装置は、決定されたベースバンドパラメータに基づき、同期信号を送信する場合、
前記ネットワーク側装置は、決定されたベースバンドパラメータから１つを選出し、選出されたベースバンドパラメータに基づき、前記同期信号を送信することを特徴とする請求項８に記載の同期信号を送信する方法。
【請求項１０】
前記ネットワーク側装置は、事前に約定された時間領域リソース及び/または周波数領域リソースにおいて、前記同期信号を送信することを特徴とする請求項８に記載の同期信号を送信する方法。
【請求項１１】
前記同期信号は、端末の所属の送受信ポイントＴＲＰグループを決定するのに用いられ、または、
前記同期信号と、サブバンド/ＴＲＰ/ビームとの間に対応関係が存在し、前記同期信号は、前記端末が常駐またはアクセスするためのサブバンド、ＴＲＰ及び/またはビームを決定するのみ用いられることを特徴とする請求項７ないし請求項１０のいずれか１項に記載の同期信号を送信する方法。
【請求項１２】
同期信号を検出するためのベースバンドパラメータを決定するパラメータ決定モジュールと、
決定されたベースバンドパラメータに基づき、同期信号を検出する検出モジュールとを備えることを特徴とする端末。
【請求項１３】
前記パラメータ決定モジュールは、
事前に約定された１つまたは複数のベースバンドパラメータを、同期信号を検出するためのベースバンドパラメータとして決定し、または、
通信システムによりサポートされたかまたは定義された１つまたは複数のベースバンドパラメータを、同期信号を検出するためのベースバンドパラメータとして決定し、または、
周波数帯域とベースバンドパラメータとの対応関係に基づき、前記端末が現在同期信号を検出している周波数帯域に対応するベースバンドパラメータを決定し、決定されたベースバンドパラメータを、同期信号を検出するためのベースバンドパラメータとして決定することを特徴とする請求項１２に記載の端末。
【請求項１４】
決定されたベースバンドパラメータが複数であれば、前記検出モジュールは、
決定された各ベースバンドパラメータに基づき、前記同期信号をブラインド検出することを特徴とする請求項１３に記載の端末。
【請求項１５】
前記検出モジュールは、
事前に約定された時間領域リソース及び/または周波数領域リソースにおいて、前記同期信号を検出することを特徴とする請求項１３に記載の端末。
【請求項１６】
前記検出モジュールは、
検出された同期信号に基づき、前記端末の所属の送受信ポイントＴＲＰグループを決定し、または、
同期信号とサブバンド/ＴＲＰ/ビームとの対応関係に基づき、前記端末が常駐またはアクセスするためのサブバンド、ＴＲＰ及び/またはビームを決定することを特徴とする請求項１２ないし請求項１５のいずれか１項に記載の端末。
【請求項１７】
前記検出モジュールは、
検出された同期信号から、信号強度が最大の同期信号を選出し、
同期信号とＴＲＰグループ識別子（ＩＤ）との対応関係に基づき、選出された同期信号に対応するＴＲＰグループＩＤを決定し、
決定されたＴＲＰグループＩＤに対応するＴＲＰグループを、前記端末の所属のＴＲＰグループとして決定することを特徴とする請求項１６に記載の端末。
【請求項１８】
同期信号を送信するためのベースバンドパラメータを決定する決定モジュールと、
決定されたベースバンドパラメータに基づき、同期信号を送信する送信モジュールとを備えることを特徴とするネットワーク側装置。
【請求項１９】
前記決定モジュールは、
事前に約定された１つまたは複数のベースバンドパラメータを、同期信号を送信するためのベースバンドパラメータとして決定し、または、
通信システムによりサポートされたかまたは定義された１つまたは複数のベースバンドパラメータを、同期信号を送信するためのベースバンドパラメータとして決定し、または、
周波数帯域とベースバンドパラメータとの対応関係に基づき、前記ネットワーク側装置が現在同期信号を送信している周波数帯域に対応するベースバンドパラメータを決定し、決定されたベースバンドパラメータを、同期信号を送信するためのベースバンドパラメータとして決定することを特徴とする請求項１８に記載のネットワーク側装置。
【請求項２０】
決定されたベースバンドパラメータが複数であれば、前記送信モジュールは、
決定されたベースバンドパラメータから１つを選出し、選出されたベースバンドパラメータに基づき、前記同期信号を送信することを特徴とする請求項１９に記載のネットワーク側装置。
【請求項２１】
前記送信モジュールは、
事前に約定された時間領域リソース及び/または周波数領域リソースにおいて、前記同期信号を送信することを特徴とする請求項１９に記載のネットワーク側装置。
【国際調査報告】
2019530288.tif 000018
2019530288.tif 000019
2019530288.tif 000020
2019530288.tif 000021